(57)【要約】【課題】押圧を止めた位置に基づいてボタンに定義された処理が実行される場合に、誤ってボタンやメニューの表示領域から外れた位置で押圧を止めても、ほかの感応領域における処理は実行されない地図表示装置を提供する。【解決手段】メニューボタン２１の表示領域に感応領域２１ａを設けるとともに、メニューボタン２１の外周部に不感応領域７１ａを設ける。感応領域２１ａとは、この領域でタッチパネル１９から指を離して押圧を止めるとメニューボタン２１に定義された処理が実行される領域である。不感応領域７１ａとは、この領域でタッチパネル１９から指を離して押圧を止めても、何も処理が実行されない領域である。したがって、不感応領域７１ａでタッチパネル１９から指を離して押圧を止めても、地図２０はスクロールされない。【選択図】図７
2008033120.tif 000002
【特許請求の範囲】
【請求項１】
タッチパネルを設けた表示モニタと、
前記表示モニタにボタンを表示するボタン表示手段と、
前記タッチパネル上において、前記ボタンに対応する領域に感応領域を設定するとともに、その周囲に不感応領域を設定するタッチパネル制御手段と、
前記感応領域の押圧が終了されたときに、前記ボタンに定義された処理を実行する処理制御手段とを備えることを特徴とする地図表示装置。
【請求項２】
請求項１に記載の地図表示装置において、
前記タッチパネル制御手段は、前記不感応領域の周囲に、前記ボタンに定義された処理と異なる処理が定義された他の感応領域を設定することを特徴とする地図表示装置。
【請求項３】
タッチパネルを設けた表示モニタと、
前記表示モニタにボタンを表示するボタン表示手段と、
前記タッチパネル上において、前記ボタンに対応する領域に感応領域を設定するタッチパネル制御手段と、
前記感応領域の押圧が開始されたときに、前記感応領域を拡大し、前記拡大された感応領域で前記押圧が終了する場合および拡大前の感応領域で前記押圧が終了する場合、前記ボタンに定義された処理を実行する処理制御手段とを備えることを特徴とする地図表示装置。
【請求項４】
請求項３に記載の地図表示装置において、
前記タッチパネル制御手段は、前記拡大された感応領域の周囲に、前記ボタンに定義された処理と異なる処理が定義された他の感応領域を設定することを特徴とする地図表示装置。
【請求項５】
請求項２または４に記載の地図表示装置において、
前記他の感応領域は表示モニタの略全域に広がって設定され、前記他の処理は、前記表示モニタ上に表示されている地図をスクロールする処理であることを特徴とする地図表示装置。
【請求項６】
タッチパネルを設けた表示モニタと、
前記表示モニタにメニューをリスト表示するメニュー表示手段と、
前記タッチパネル上において、前記メニューに対応する領域に感応領域を設定するタッチパネル制御手段と、
前記感応領域の押圧が終了されたときに、前記メニューに定義された処理を実行する処理制御手段とを備え、
前記タッチパネル制御手段は、前記メニューの感応領域が押圧されると、前記メニューに対応する領域の周囲に不感応領域を設定し、
前記処理制御手段は、前記不感応領域で押圧が終了すると、他のメニューの感応領域であっても前記他のメニューに定義された処理を実行しないことを特徴とする地図表示装置。
【請求項７】
タッチパネルを設けた表示モニタと、
前記表示モニタにメニューをリスト表示するメニュー表示手段と、
前記タッチパネル上において、前記メニューに対応する領域に感応領域を設定するタッチパネル制御手段と、
前記感応領域の押圧が終了されたときに、前記メニューに定義された処理を実行する処理制御手段とを備え、
前記タッチパネル制御手段は、前記メニューの感応領域が押圧されると、前記メニューの感応領域を拡大することを特徴とする地図表示装置。
【発明の詳細な説明】
【技術分野】
【０００１】
本発明は、タッチパネルを使用して操作することができる地図表示装置に関する。
【背景技術】
【０００２】
地図画面を押圧すると、地図画面中央と押圧位置との間の線分の方向に地図がスクロールされる車両用ナビゲーション装置が従来技術として知られている（たとえば、特許文献１）。
【特許文献１】特開２００１−１０８４７５号公報
【発明の開示】
【発明が解決しようとする課題】
【０００３】
特許文献１のような従来のナビゲーション装置では、ユーザが地図画面に重畳されて表示されているボタンを押圧操作したと思っていても、実際は地図画面が押圧され、地図がスクロールされてしまう場合がある。
【課題を解決するための手段】
【０００４】
（１）請求項１の発明の地図表示装置は、タッチパネルを設けた表示モニタと、表示モニタにボタンを表示するボタン表示手段と、タッチパネル上において、ボタンに対応する領域に感応領域を設定するとともに、その周囲に不感応領域を設定するタッチパネル制御手段と、感応領域の押圧が終了されたときに、ボタンに定義された処理を実行する処理制御手段とを備えることを特徴とする。
（２）請求項２の発明は、請求項１に記載の地図表示装置において、タッチパネル制御手段は、不感応領域の周囲に、ボタンに定義された処理と異なる処理が定義された他の感応領域を設定することを特徴とする。
（３）請求項３の発明の地図表示装置は、タッチパネルを設けた表示モニタと、表示モニタにボタンを表示するボタン表示手段と、タッチパネル上において、ボタンに対応する領域に感応領域を設定するタッチパネル制御手段と、感応領域の押圧が開始されたときに、感応領域を拡大し、拡大された感応領域で押圧が終了する場合および拡大前の感応領域で押圧が終了する場合、ボタンに定義された処理を実行する処理制御手段とを備えることを特徴とする。
（４）請求項４の発明は、請求項３に記載の地図表示装置において、タッチパネル制御手段は、拡大された感応領域の周囲に、ボタンに定義された処理と異なる処理が定義された他の感応領域を設定することを特徴とする。
（５）請求項５の発明は、請求項２または４に記載の地図表示装置において、他の感応領域は表示モニタの略全域に広がって設定され、他の処理は、表示モニタ上に表示されている地図をスクロールする処理であることを特徴とする。
（６）請求項６の発明の地図表示装置は、タッチパネルを設けた表示モニタと、表示モニタにメニューをリスト表示するメニュー表示手段と、タッチパネル上において、メニューに対応する領域に感応領域を設定するタッチパネル制御手段と、感応領域の押圧が終了されたときに、メニューに定義された処理を実行する処理制御手段とを備え、タッチパネル制御手段は、メニューの感応領域が押圧されると、メニューに対応する領域の周囲に不感応領域を設定し、処理制御手段は、不感応領域で押圧が終了すると、他のメニューの感応領域であっても他のメニューに定義された処理を実行しないことを特徴とする。
（７）請求項７の発明の地図表示装置は、タッチパネルを設けた表示モニタと、表示モニタにメニューをリスト表示するメニュー表示手段と、タッチパネル上において、メニューに対応する領域に感応領域を設定するタッチパネル制御手段と、感応領域の押圧が終了されたときに、メニューに定義された処理を実行する処理制御手段とを備え、タッチパネル制御手段は、メニューの感応領域が押圧されると、メニューの感応領域を拡大することを特徴とする。
【発明の効果】
【０００５】
本発明によれば、ボタンやメニューの外周に押圧操作しても何ら処理が実行されない不感応領域を設けた。したがって、タッチパネルの押圧を止めた位置に基づいてボタンやメニューに定義された処理が実行される場合における以下の誤動作を防止できる。すなわち、誤ってボタンやメニューの表示領域から外れた位置で押圧を止めても、隣接する感応領域における処理は実行されない。そうすると、地図に重畳されて表示されたボタンを押圧操作する場合、誤って地図がスクロールされるのを防止することができる。
【発明を実施するための最良の形態】
【０００６】
図１は、本発明の実施形態によるナビゲーション装置１を示す。このナビゲーション装置１では、表示モニタ１６に表示されたボタンやメニューを押圧操作することによってナビゲーション装置１を操作することができる。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９およびディスクドライブ１１１を有している。ディスクドライブ１１１には、地図データが記憶されたＤＶＤ−ＲＯＭ１１２が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１２に記憶された地図データに基づいて所定の経路探索処理を行うと、その処理結果が推奨経路として表示モニタ１６に表示される。
【０００８】
現在地検出装置１４は車両の現在地を検出する装置である。現在地装置１４は、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどからなる。振動ジャイロ１４ａは、車両の進行方向を検出する。車速センサ１４ｂは、車速を検出する。ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは道路地図描画用データや各種の図形データからなり、それらはＤＶＤ−ＲＯＭ１１２に記憶された地図データに基づいて、適宜生成される。ナビゲーション装置１は、このようにして生成された画像データを用いることによって地図表示など行うことができる。
【００１０】
ディスクドライブ１１１は、ＤＶＤ−ＲＯＭ１１２から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。なお、ＤＶＤ−ＲＯＭ１１２以外の他の記録メディア、たとえばＣＤ−ＲＯＭやハードディスクなどより地図データを読み出してもよい。
【００１１】
表示モニタ１６は、地図データなどの各種情報に基づいて、自車位置付近の道路地図などの各種情報を画面表示としてユーザに提供する。また、上述したように検索結果をリストとして表示する。スピーカ１７は、各種入力操作をユーザに指示したり、経路誘導したりするための音声を出力する。入力装置１８は、ユーザが各種コマンドを設定するための入力スイッチを有し、操作パネルやリモコンなどによって実現される。ユーザは、表示モニタ１６の表示画面の指示やスピーカ１７からの音声指示に従って入力装置１８を手動で操作することにより、目的地を選択して目的地を設定する。
【００１２】
タッチパネル１９は、表示モニタ１６の表面に積層される透明のタッチスイッチであり、表示モニタ１６に表示される画像はタッチパネル１９を通して表示される。タッチパネル１９は、タッチパネル１９上の操作位置に応じた信号をタッチパネルコントロール部１１０に送出する。タッチパネルコントロール部１１０はその信号に基づいてタッチパネル１９の押圧位置を算出する。
【００１３】
表示モニタ１６の表示画面を押圧するとタッチパネル１９が押圧される。そして、地図画面や各種ボタン、表示メニューなどの表示位置でタッチパネル１９から指を離して押圧を止めると、以下の処理が行われる。すなわち、押圧を止めた位置が目的地として設定されたり、押圧を止めた位置に表示されている各種ボタンや表示メニューに定義された処理が実行されたりする。ここで、押圧した位置ではなく、押圧を止めた位置に表示されているボタンなどに定義された処理が実行されるのは、以下の理由による。つまり、押圧したボタンを間違えても、押圧した状態で指を移動し正しいボタンの位置で押圧を止めれば、所望のボタンの処理が実行されるからである。
【００１４】
目的地がユーザにより設定されると、ナビゲーション装置１はＧＰＳセンサ１４ｃにより検出された現在地を出発地として目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路に従って車両が走行できるように、ユーザに対して画面や音声などによる進行方向指示を行い、車両を経路誘導する。
【００１５】
次に、本発明の実施形態における表示画面の押圧操作について図２〜８を参照して説明する。図２（ａ），（ｂ）に示すように、地図２０にメニューボタン２１、広域ボタン２２および詳細ボタン２３が重畳して表示されている表示画面を例にして説明する。
【００１６】
地図２０を押圧操作することによって、地図２０をスクロールすることができる。図２は、地図２０のスクロール操作を説明するための図である。図２（ａ）に示すように、表示画面を押圧し、押圧終了点２４でタッチパネル１９から指を離して押圧を止める。そうすると、図２（ｂ）に示すように、押圧終了点２４が表示画面の中央に表示されるように地図２０はスクロールされる。
【００１７】
メニューボタン２１は、メインメニュー画面表示処理が定義されたボタンである。したがって、メニューボタン２１を押圧操作することによって、メインメニュー画面３０を表示することができる。図３は、メインメニュー画面表示処理を説明するための図である。図３（ａ）に示すように、メニューボタン２１の表示位置で、タッチパネル１９から指を離して押圧を止める。そうすると、図３（ｂ）に示すように、表示画面にメインメニュー画面３０が表示される。メインメニュー画面３０には、目的地となる施設などを検索する検索ボタン３１ａ、各種設定を行う設定ボタン３１ｂ、推奨経路の探索を行う探索ボタン３１ｃおよび交通情報を表示する交通情報ボタン３１ｄが表示される。
【００１８】
広域ボタン２２は、広域地図表示処理が定義されたボタンである。したがって、広域ボタン２２を押圧操作することによって、地図２０を広域地図に切り替えることができる。また、詳細ボタン２３は、詳細地図表示処理が定義されたボタンである。したがって、詳細ボタン２３を押圧操作することによって、地図２０を詳細地図に切り替えることができる。
【００１９】
ところで、タッチパネル１９を指で押圧操作するとき、以下に説明する指ローリング現象が発生する。指ローリング現象について、メニューボタン２１の押圧操作を例に説明する。指ローリング現象には、縦ローリング現象と、横ローリング現象とがある。縦ローリング現象について図４を参照して説明する。図４（ａ）に示すように、最初、指の先端がメニューボタン２１の表示範囲内の点４１ａを押圧する。さらにタッチパネル１９を指で押圧すると、図４（ｂ）に示すように、指先は矢印４２の方向に曲がる（縦ローリング現象）。そうすると、押圧位置はメニューボタン２１の表示範囲から外れ、地図２０の表示範囲内の点４１ｂに移動する。そのまま、指をタッチパネル１９から離すと、地図２０の表示領域で押圧を止めることになる。その結果、図６（ａ）に示すように、メニューボタン２１を押圧したにもかかわらずメニューボタン２１に定義された処理は実行されない。そして、図６（ｂ）に示すように、地図２０がスクロールされる。
【００２０】
図５を参照して、横ローリング現象について説明する。図５（ａ）に示すように、最初、指の右腹がメニューボタン２１の表示範囲内の点５１ａを押圧する。さらにタッチパネル１９を指で押圧すると、図５（ｂ）に示すように、指先は矢印５２の方向に回転する（横ローリング現象）。そうすると、押圧位置はメニューボタン２１の表示範囲から外れ、地図２０の表示範囲内の点５１ｂに移動する。そのまま、指をタッチパネル１９から離すと、地図２０の表示領域で押圧を止めることになる。その結果、上述した縦ローリング現象の場合と同様に、メニューボタン２１を押圧したにもかかわらずメニューボタン２１に定義された処理は実行されない。そして、地図２０がスクロールされる。
【００２１】
そこで、本発明の実施形態では、図７に示すように、メニューボタン２１の表示領域である感応領域２１ａの外周に不感応領域７１ａを設ける。感応領域２１ａとは、この領域でタッチパネル１９から指を離して押圧を止めるとメニューボタン２１に定義された処理が実行される領域である。不感応領域７１ａとは、この領域でタッチパネル１９から指を離して押圧を止めても、何も処理が実行されない領域である。したがって、不感応領域７１ａでタッチパネル１９から指を離して押圧を止めても、地図２０はスクロールされない。すなわち、図８（ａ）のように、メニューボタン２１を押圧した後、指ローリング現象が発生して、地図２０の表示領域でタッチパネル１９から指を離しても、図８（ｂ）のように、地図２０はスクロールされない。同様に、広域ボタン２２の表示領域および詳細ボタン２３の表示領域である感応領域２２ａ，２３ａの外周に不感応領域７１ｂを設ける。
【００２２】
本発明の実施形態によるナビゲーション装置１の不感応領域設定処理について図９のフローチャートを参照して説明する。図９の処理は、ボタンが表示モニタ１６に表示されるとスタートするプログラムにより、制御回路１１において実行される。
【００２３】
ステップＳ９０１では、表示モニタ１６に表示されるボタンの表示画面における表示範囲のデータを取得する。ステップＳ９０２では、ボタンの表示範囲は、タッチパネル１９に設定されている感応領域と重畳するか判定する。重畳する場合はステップＳ９０２が肯定判定され、ステップＳ９０３へ進む。重畳しない場合はステップＳ９０２が否定判定され、ステップＳ９０６へ進む。
【００２４】
ステップＳ９０３では、タッチパネル１９のボタンの表示範囲の領域に感応領域を設定する。この感応領域でタッチパネル１９の押圧が終了すると、ボタンに定義された処理が実行される。ステップＳ９０４では、ボタンの表示範囲の領域の外周に不感応領域を設定する。この不感応領域でタッチパネル１９の押圧が終了しても、ボタンの表示範囲に重畳して設定されていた感応領域の処理は実行されない。ステップＳ９０５では、ボタンが表示されているか判定する。表示されている場合はステップＳ９０５を繰り返す。ボタンが表示されていない場合はステップＳ９０５が否定判定され、そのボタンについての不感応領域設定処理を終了する。
【００２５】
ステップＳ９０６では、ボタンの表示範囲の領域に感応領域を設定する。そして、ステップＳ９０５へ進む。
【００２６】
以上の本発明の実施の形態によるナビゲーション装置１は次のような作用効果を奏する。
（１）ボタン２１〜２３の外周に押圧操作しても何ら処理が実行されない不感応領域７１ａ，７１ｂを設けた。したがって、タッチパネル１９から指を離して押圧を止めた位置に基づいてボタン２１〜２３に定義された処理が実行される場合における以下の誤操作を防止することができる。つまり、誤ってボタン２１〜２３の表示領域から外れた位置で押圧を止めても、隣接する感応領域である地図の表示領域で押圧を止めた場合に実行される処理（地図スクロール）は実行されない。
【００２７】
（２）不感応領域７１ａ，７１ｂの周囲にボタン２１〜２３に定義された処理と異なる処理が定義されたほかの感応領域、つまり地図２０をスクロールする感応領域を設けた。したがって、ボタン２１〜２３の誤操作による地図スクロールを防止することができるので、ボタン２１〜２３を地図２０に重畳して表示することができる。
【００２８】
（３）タッチパネル１９を押圧した位置に表示されているボタンではなく、タッチパネル１９から指を離して押圧を止めた位置に表示されているボタン２１〜２３に定義された処理が実行されるようにした。したがって、押圧したボタン２１〜２３を間違えても、押圧した状態で指を移動し正しいボタン２１〜２３の位置で押圧を止めれば、所望のボタン２１〜２３の処理を実行することができ、ユーザの利便性が向上する。
【００２９】
以上の実施の形態を次のように変形することができる。
（１）ボタンの表示範囲の外周に不感応領域を設定する代りに、ボタンが押圧されるとそのボタンの感応領域が拡大するようにしてもよい。図１０を参照して、メニューボタン２１が押圧された場合について説明する。メニューボタン２１が押圧される前は、図１０（ａ）に示すように、メニューボタン２１の表示範囲に感応領域２１ａ〜２３ａが設定される。そして、メニューボタン２１が押圧されると、図１０（ｂ）に示すように、メニューボタン２１の感応領域２１ａが拡大する。
【００３０】
このような変形実施の形態によれば、図１１（ａ）に示すように、メニューボタン２１を押圧した後、指ローリング現象が発生して、地図２０の表示領域でタッチパネル１９から指を離しても、地図２０はスクロールされない。さらに、図１１（ｂ）に示すように、所望の処理が実行、つまりメインメニュー画面３０が表示される。したがって、指ローリング現象により誤操作を防止できる。
【００３１】
この実施例では、拡大された感応領域２１ａの周囲にボタン２１に定義された処理と異なる処理が定義されたほかの感応領域、つまり地図２０をスクロールする感応領域を設けた。したがって、ボタン２１の誤操作による地図スクロールを防止できるので、ボタン２１を地図２０に重畳して表示することができる。
【００３２】
本発明の実施形態の変形例の感応領域拡大設定処理について図１２のフローチャートを参照して説明する。図１２の処理は、ボタンが表示モニタ１６に表示されるとスタートするプログラムにより、制御回路１１において実行される。実施形態と同じステップは同じ符号を付し、実施形態と異なる部分を主に説明する。
【００３３】
ステップＳ９０３で、ボタンの表示範囲の領域に感応領域を設定した後、ステップＳ１２０１へ進む。ステップＳ１２０１では、ボタンの表示範囲は押圧されているか判定する。押圧されている場合はステップＳ１２０１が肯定判定され、ステップＳ１２０２へ進む。押圧されていない場合はステップＳ１２０１が否定判定され、ステップＳ１２０４へ進む。
【００３４】
ステップＳ１２０２では、感応領域を拡大する。ステップＳ１２０３では、ボタンの表示範囲が押圧されているか判定する。押圧されている場合はステップＳ１２０３を繰り返す。押圧されていない場合はステップＳ１２０３が否定判定され、ステップＳ９０２へ戻る。
【００３５】
ステップＳ１２０４では、ボタンは表示されているか判定する。表示されている場合はステップＳ１２０４が肯定判定され、ステップＳ９０２へ戻る。表示されていない場合はステップＳ１２０４が否定判定され、処理は終了する。
【００３６】
（２）本発明の一実施形態では、表示モニタ１６に表示されるボタン２１〜２３について説明したが、図１３に示すようなリスト表示されたメニュー８１〜８４でもよい。この場合、図１３に示すように、メニュー８２が押圧されると、図１４（ａ）に示すように、押圧されたメニュー８２の外周に不感応領域９１が設定される。そうすると、図１３に示すように、メニュー８２の表示範囲を押圧した後、指ローリング現象によってほかのメニュー８３の表示範囲でタッチパネル１９から指を離して押圧を止めても、メニュー８３に定義された処理、つまり隣接した感応領域における処理は実行されない。したがって、指ローリング現象により誤操作を防止できる。
【００３７】
図１３に示すように、メニュー８２が押圧されると、図１４（ｂ）に示すように、押圧されたメニュー８２の感応領域８２ａが拡大されるようにしてもよい。そうすると、図１３に示すように、メニュー８２の表示範囲を押圧した後、指ローリング現象によってほかのメニュー８３の表示範囲でタッチパネル１９から指を離して押圧を止めても、メニュー８３に定義された処理は実行されず、メニュー８２に定義された処理が実行される。したがって、指ローリング現象により誤操作を防止できる。
【００３８】
以上の実施形態では、ナビゲーション装置１を例にあげて説明したが、地図表示装置であれば、ナビゲーション装置１に限定されない。
【００３９】
以上の説明はあくまで一例であり、発明は、上記の実施形態に何ら限定されるものではない。
【００４０】
特許請求の範囲の要素と実施の形態との対応関係を説明する。
本発明のボタン表示手段は制御回路１１に対応し、タッチパネル制御手段は制御回路１１とタッチパネルコントロール部１１０に対応する。処理制御手段は制御回路１１に対応し、メニュー表示手段は制御回路１１に対応する。なお、以上の説明はあくまで一例であり、発明を解釈する上で、上記の実施形態の構成要素と本発明の構成要素の対応関係になんら限定されるものではない。
【図面の簡単な説明】
【００４１】
【図１】本発明の一実施形態によるナビゲーション装置の構成を示すブロック図である。
【図２】地図のスクロール操作を説明するための図である。
【図３】メニューボタンに定義された処理を説明するための図である。
【図４】指ローリング現象のうちの縦ローリング現象を説明するための図である。
【図５】指ローリング現象のうちの横ローリング現象を説明するための図である。
【図６】指ローリング現象によるメニューボタンの誤操作を説明するための図である。
【図７】タッチパネルに設定された感応領域および不感応領域を説明するための図である。
【図８】タッチパネルに不感応領域を設定したときに指ローリング現象により実行される処理を説明するための図である。
【図９】本発明の一実施形態のナビゲーション装置における不感応領域設定処理を説明するためのフローチャートである。
【図１０】本発明の変形例の感応領域拡大を説明するための図である。
【図１１】本発明の変形例の感応領域拡大処理を実行したときに指ローリング現象により実行される処理を説明するための図である。
【図１２】本発明の変形例の感応領域拡大処理を説明するためのフローチャートである。
【図１３】メニューが表示された表示画面を説明するための図である。
【図１４】メニューに設定された感応領域および不感応領域を説明するための図である。
【符号の説明】
【００４２】
１  ナビゲーション装置
１１  制御回路
１６  表示モニタ
１８  入力装置
１９  タッチパネル
１１０  タッチパネルコントロール部
１１１  ディスクドライブ
１１２  ＤＶＤ−ＲＯＭ
【図１】
2008033120.tif 000003
【図２】
2008033120.tif 000004
【図３】
2008033120.tif 000005
【図４】
2008033120.tif 000006
【図５】
2008033120.tif 000007
【図６】
2008033120.tif 000008
【図７】
2008033120.tif 000009
【図８】
2008033120.tif 000010
【図９】
2008033120.tif 000011
【図１０】
2008033120.tif 000012
【図１１】
2008033120.tif 000013
【図１２】
2008033120.tif 000014
【図１３】
2008033120.tif 000015
【図１４】
2008033120.tif 000016